【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
ユーザが所望するデータが書込まれる記憶手段を備えた携帯端末と、該携帯端末に対して前記データを発行する発行処理と、該発行したデータを前記記憶手段に書込むための書込処理とを行なう発行書込処理サーバとを備えたデータ発行書込システムであって、
前記携帯端末は、
前記データの処理状況を管理する処理状況管理手段と、
該処理状況管理手段によって管理されている処理状況が未書込であることを条件として、前記データの書込みを要求するための書込要求情報を前記発行書込処理サーバに送信するために出力する書込要求出力手段を備え、
前記発行書込処理サーバは、
前記携帯端末に対して書込むべきデータが書込済か否かを示す書込状況を管理する書込状況管理手段と、
前記書込要求出力手段から送信されてきた前記書込要求情報に対応するデータの前記書込状況管理手段によって管理されている書込状況が未書込であることを条件として、当該データの前記記憶手段への書込みを指示する書込指示情報を、当該書込要求情報の送信元の携帯端末である要求元携帯端末に送信するために出力する書込指示出力手段と、
該書込指示出力手段によって前記書込指示情報が出力されたことを条件として、当該書込指示情報で書込みが指示されたデータの前記書込状況管理手段によって管理されている書込状況を、書込済に更新する書込状況更新手段とを備え、
前記携帯端末は、さらに、
前記書込指示出力手段から前記書込指示情報を受信したことを条件として、当該書込指示情報で書込みが指示されたデータを前記記憶手段に書込むための処理を実行するデータ書込実行手段と、
該データ書込実行手段によって前記データを書込むための処理が実行されたことを条件として、当該データの前記処理状況管理手段によって管理されている処理状況を、データ書込済に更新する処理状況更新手段とを備え、
前記発行書込処理サーバは、さらに、
前記処理状況管理手段によって管理されている処理状況を更新させるための更新指示情報を前記携帯端末に送信するために出力する更新指示出力手段を備え、
前記携帯端末は、
前記更新指示出力手段からの前記更新指示情報の受信に基づいて、前記処理状況管理手段によって管理されている処理状況を更新する処理状況強制更新処理を実行する処理状況強制更新手段を備えることを特徴とする、データ発行書込システム。
【請求項２】
前記発行書込処理サーバは、さらに、
前記携帯端末から処理状況を取得する処理状況取得手段と、
該処理状況取得手段によって取得された処理状況に基づいた処理を実行する取得状況処理実行手段とを備えることを特徴とする、請求項１に記載のデータ発行書込システム。
【請求項３】
前記取得状況処理実行手段は、前記処理状況取得手段によって取得された処理状況と、前記書込状況管理手段によって管理されている書込状況とが一致するか否かを判断し、
前記更新指示出力手段は、前記取得状況処理実行手段によって一致しないと判断されたことを条件として、前記更新指示情報を出力することを特徴とする、請求項２に記載のデータ発行書込システム。
【請求項４】
前記更新指示出力手段は、前記処理状況強制更新処理を実行させるために操作されるリンク情報が添付された電子メールを、前記更新指示情報として出力し、
前記更新指示出力手段から送信されてきた前記電子メールに添付されたリンク情報が操作されることを条件として、前記処理状況強制更新手段は、前記処理状況強制更新処理を実行することを特徴とする、請求項１から請求項３までのいずれかに記載のデータ発行書込システム。
【請求項５】
前記携帯端末は、さらに、
前記リンク情報の操作が初回か否かを判定するリンク操作判定手段を備え、
前記処理状況強制更新手段は、前記リンク操作判定手段によって前記リンク情報の操作が初回であると判定されたことをさらに条件として、前記処理状況強制更新処理を実行することを特徴とする、請求項４に記載のデータ発行書込システム。
【請求項６】
ユーザが所望するデータが書込まれる記憶手段を備えるとともに前記データの処理状況が未書込か書込済であるかを管理する携帯端末に対して前記データを発行する発行処理と、該発行したデータを前記携帯端末に書込むための書込処理とを行なう発行書込処理サーバであって、
前記携帯端末に対して書込むべきデータが書込済か否かを示す書込状況を管理する書込状況管理手段と、
前記携帯端末にて管理されている処理状況が未書込であることを条件として前記携帯端末から送信されてくる書込要求情報に対応するデータの前記書込状況管理手段によって管理されている書込状況が未書込であることを条件として、当該データの前記記憶手段への書込みを指示する書込指示情報を、当該書込要求情報の送信元の携帯端末である要求元携帯端末に送信するために出力する書込指示出力手段と、
該書込指示出力手段によって前記書込指示情報が出力されたことを条件として、当該書込指示情報で書込みが指示されたデータの前記書込状況管理手段によって管理されている書込状況を、書込済に更新する書込状況更新手段と、
前記携帯端末にて管理されている処理状況を更新させるための更新指示情報を前記携帯端末に送信するために出力する更新指示出力手段とを備えることを特徴とする、発行書込処理サーバ。
【請求項７】
ユーザが所望するデータが書込まれる記憶手段と、
前記データの処理状況を管理する処理状況管理手段と、
該処理状況管理手段によって管理されている処理状況が未書込であることを条件として、前記データの書込みを要求するための書込要求情報を、前記データを発行する発行処理と該発行したデータを前記記憶手段に書込むための書込処理とを行なうとともに前記記憶手段に対して書込むべきデータが書込済か否かを示す書込状況を管理する発行書込処理サーバに送信するために出力する書込要求出力手段と、
前記書込要求情報に応じて前記発行書込処理サーバから送信されてきた書込指示情報を受信したことを条件として、当該書込指示情報で書込みが指示されたデータを前記記憶手段に書込むための処理を実行するデータ書込実行手段と、
該データ書込実行手段によって前記データを書込むための処理が実行されたことを条件として、当該データの前記処理状況管理手段によって管理されている処理状況を、データ書込済に更新する処理状況更新手段と、
前記発行書込処理サーバから前記処理状況管理手段によって管理されている処理状況を更新させるための更新指示情報を受信したことに基づいて、前記処理状況管理手段によって管理されている処理状況を更新する処理状況強制更新処理を実行する処理状況強制更新手段とを備えることを特徴とする、携帯端末。
【請求項８】
ユーザが所望するデータが書込まれる記憶手段を備えるとともに前記データの処理状況を管理する携帯端末で実行されるアプリケーションプログラムであって、
前記処理状況が未書込であることを条件として、前記データの書込みを要求するための書込要求情報を、前記携帯端末に対して前記データを発行する発行処理と該発行したデータを前記記憶手段に書込むための書込処理とを行なうとともに前記携帯端末に対して書込むべきデータが書込済か否かを示す書込状況を管理する発行書込処理サーバに送信するために出力するステップと、
前記書込要求情報に応じて前記発行書込処理サーバから送信されてきた書込指示情報で書込みが指示されたデータを前記記憶手段に書込むための処理が実行されたことを条件として、前記処理状況をデータ書込済に更新するステップと、
前記発行書込処理サーバから前記処理状況を更新させるための更新指示情報を受信したことに基づいて、前記処理状況を更新する処理状況強制更新処理を実行するステップとを実行させることを特徴とする、アプリケーションプログラム。
【手続補正２】
【補正対象書類名】明細書
【補正対象項目名】０００５
【補正方法】変更
【補正の内容】
【０００５】
（１）  ユーザが所望するデータ（たとえば、バリュー等の電子マネー情報）が書込まれる記憶手段（たとえば、非接触型ＩＣチップ１９０の記憶部１９２）を備えた携帯端末（たとえば、携帯電話１００）と、該携帯端末に対して前記データを発行する発行処理と、該発行したデータを前記記憶手段に書込むための書込処理とを行なう発行書込処理サーバ（たとえば、電子マネー管理サーバ２００、決済サーバ２８０、リモート発行サーバ４００）とを備えたデータ発行書込システム（電子マネーシステム１０）であって、
前記携帯端末は、
前記データの処理状況（たとえば、処理状況）を管理する処理状況管理手段（たとえば、記憶部１２０、ステップＳ１２２ａ，Ｓ１２７，Ｓ１５３ａ，Ｓ１５７ａ，Ｓ１６０７ａ，Ｓ１６１４ａ，Ｓ１７１６，Ｓ１７２４ａ）と、
該処理状況管理手段によって管理されている処理状況が未書込であること（たとえば、ステップＳ１５１においてＹＥＳの場合）を条件として、前記データの書込みを要求するための書込要求情報（たとえば、書込処理開始要求）を前記発行書込処理サーバに送信するために出力する書込要求出力手段（たとえば、ステップＳ１５４）を備え、
前記発行書込処理サーバは、
前記携帯端末に対して書込むべきデータが書込済（たとえば、発行済）か否かを示す書込状況（たとえば、処理状況）を管理する書込状況管理手段（たとえば、図５の発行情報ＤＢ２２２）と、
前記書込要求出力手段から送信されてきた前記書込要求情報に対応するデータの前記書込状況管理手段によって管理されている書込状況が未書込であること（たとえば、ステップＳ２７４においてＹＥＳの場合）を条件として、当該データの前記記憶手段への書込みを指示する書込指示情報（たとえば、書込実行情報）を、当該書込要求情報の送信元の携帯端末である要求元携帯端末に送信するために出力する書込指示出力手段（たとえば、リモート発行サーバ４００による書込実行情報の送信）と、
該書込指示出力手段によって前記書込指示情報が出力されたこと（たとえば、リモート発行サーバ４００によって書込実行が送信されたこと）を条件として、当該書込指示情報で書込みが指示されたデータの前記書込状況管理手段によって管理されている書込状況を、書込済（たとえば、書込終了済）に更新する書込状況更新手段（たとえば、リモート発行サーバ４００による処理状況の書込終了済への更新、または、ステップＳ２７９６）とを備え、
前記携帯端末は、さらに、
前記書込指示出力手段から前記書込指示情報を受信したこと（たとえば、ステップＳ１５５においてＹＥＳの場合）を条件として、当該書込指示情報で書込みが指示されたデータを前記記憶手段に書込むための処理（たとえば、書込処理）を実行するデータ書込実行手段（たとえば、ステップＳ１５６）と、
該データ書込実行手段によって前記データを書込むための処理が実行されたこと（たとえば、ステップＳ１５７またはステップＳ１５７ｂにおいてＹＥＳの場合）を条件として、当該データの前記処理状況管理手段によって管理されている処理状況を、データ書込済（たとえば、書込済）に更新する処理状況更新手段（たとえば、ステップＳ１５７ａ）とを備え、
前記発行書込処理サーバは、さらに、
前記処理状況管理手段によって管理されている処理状況を更新させるための更新指示情報（たとえば、エラー対応完了メール）を前記携帯端末に送信するために出力する更新指示出力手段（たとえば、ステップＳ２９１８）を備え、
前記携帯端末は、
前記更新指示出力手段からの前記更新指示情報の受信に基づいて（たとえば、エラー対応完了メールから電子マネーアプリ１１１が起動されたことを条件として）、前記処理状況管理手段によって管理されている処理状況を更新する処理状況強制更新処理を実行する処理状況強制更新手段（たとえば、ステップＳ１１１３）を備える。
【手続補正３】
【補正対象書類名】明細書
【補正対象項目名】０００９
【補正方法】変更
【補正の内容】
【０００９】
（３）  前記取得状況処理実行手段は、前記処理状況取得手段によって取得された処理状況と、前記書込状況管理手段によって管理されている書込状況とが一致するか否かを判断し（たとえば、ステップＳ２９１６およびステップＳ２９１７ａ）、
前記更新指示出力手段は、前記取得状況処理実行手段によって一致しないと判断されたこと（たとえば、ステップＳ２９１７ａにおいてＹＥＳの場合）を条件として、前記更新指示情報を出力する（たとえば、ステップＳ２９１８）。
【手続補正４】
【補正対象書類名】明細書
【補正対象項目名】００１７
【補正方法】変更
【補正の内容】
【００１７】
（７）  ユーザが所望するデータ（たとえば、バリュー等の電子マネー情報）が書込まれる記憶手段（たとえば、非接触型ＩＣチップ１９０の記憶部１９２）と、
前記データの処理状況（たとえば、処理状況）を管理する処理状況管理手段（たとえば、記憶部１２０、ステップＳ１２２ａ，Ｓ１２７，Ｓ１５３ａ，Ｓ１５７ａ，Ｓ１６０７ａ，Ｓ１６１４ａ，Ｓ１７１６，Ｓ１７２４ａ）と、
該処理状況管理手段によって管理されている処理状況が未書込であること（たとえば、ステップＳ１５１においてＹＥＳの場合）を条件として、前記データの書込みを要求するための書込要求情報（たとえば、書込処理開始要求）を、前記データを発行する発行処理と該発行したデータを前記記憶手段に書込むための書込処理とを行なうとともに前記記憶手段に対して書込むべきデータが書込済か否かを示す書込状況を管理する発行書込処理サーバ（たとえば、電子マネー管理サーバ２００、決済サーバ２８０、リモート発行サーバ４００）に送信するために出力する書込要求出力手段（たとえば、ステップＳ１５４）と、
前記書込要求情報に応じて前記発行書込処理サーバから送信されてきた書込指示情報（たとえば、書込実行情報）を受信したこと（たとえば、ステップＳ１５５においてＹＥＳの場合）を条件として、当該書込指示情報で書込みが指示されたデータを前記記憶手段に書込むための処理（たとえば、書込処理）を実行するデータ書込実行手段（たとえば、ステップＳ１５６）と、
該データ書込実行手段によって前記データを書込むための処理が実行されたこと（たとえば、ステップＳ１５７またはステップＳ１５７ｂにおいてＹＥＳの場合）を条件として、当該データの前記処理状況管理手段によって管理されている処理状況を、データ書込済（たとえば、書込済）に更新する処理状況更新手段（たとえば、ステップＳ１５７ａ）と、
前記発行書込処理サーバから前記処理状況管理手段によって管理されている処理状況を更新させるための更新指示情報（たとえば、エラー対応完了メール）を受信したことに基づいて（たとえば、エラー対応完了メールから電子マネーアプリ１１１が起動されたことを条件として）、前記処理状況管理手段によって管理されている処理状況を更新する処理状況強制更新処理を実行する処理状況強制更新手段（たとえば、ステップＳ１１１３）とを備える。